【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
内側大腿顆および外側大腿顆と咬合する脛骨側支持体構成要素(12、112、212)であって、
該脛骨側支持体構成要素は、
内外方向および前後方向に沿い延伸する支持体構成要素横断面と、
遠近方向および前記内外方向に沿い延伸する支持体構成要素冠状面であって、前記支持体構成要素横断面に対して直交するという支持体構成要素冠状面と、
前記前後方向および前記遠近方向に沿い延伸する支持体構成要素矢状面であって、前記支持体構成要素横断面および前記支持体構成要素冠状面に対して直交するという支持体構成要素矢状面と、
を備える脛骨側支持体構成要素座標系を構成し、
該脛骨側支持体構成要素(12、112、212)は、
咬合表面および逆側の遠位表面(60、160、260)であって、該遠位表面は前記支持体構成要素横断面に対して平行であり、前記咬合表面は、前記内側および外側の大腿顆と夫々咬合すべく寸法設定かつ形状化された内側および外側の皿状咬合区画(16、18；116、118；216、218)を含み、前記内側および外側の皿状咬合区画は前記支持体構成要素矢状面により相互から分離され、脛骨側支持体構成要素の前端縁付近から脛骨側支持体構成要素の後端縁付近まで延在するという、咬合表面および逆側の遠位表面(60、160、260)を備え、
前記外側咬合区画(18、118、218)は、外側の前後方向広がり(APL)に張りわたる外側の一群の冠状最遠位点であって、外側咬合軌道(28、128、228)を画成するという外側の一群の冠状最遠位点を構成する複数の冠状断面的輪郭形状を備え、
前記外側咬合軌道は、前記支持体構成要素横断面上へと投影されたときに名目的に直線状の線を構成する前側部分と、前記支持体構成要素横断面上へと投影されたときに曲線を構成する後側部分(30)とを有する、
脛骨側支持体構成要素(12、112、212)。
【請求項２】
前記内側咬合区画(16、116、216)は、内側の前後方向広がり(APM)に張りわたる内側の一群の冠状最遠位点であって、内側咬合軌道(26、126、226)を画成するという内側の一群の冠状最遠位点を構成する複数の冠状断面的輪郭形状を備え、
前記内側咬合軌道の少なくとも一部分は、前記支持体構成要素横断面上へと投影されたときに名目的に直線状の線を構成する、請求項１に記載の脛骨側支持体構成要素(12、112、212)。
【請求項３】
前記内側咬合軌道(26、126、226)により構成された前記名目的に直線状の線は、前記外側咬合軌道(28、128、228)の前記前側部分により構成された前記名目的に直線状の線と実質的に平行である、請求項２に記載の脛骨側支持体構成要素(12、112、212)。
【請求項４】
前記内側咬合軌道(26、126、226)により構成された前記名目的に直線状の線、および、前記外側咬合軌道(28、128、228)の前記前側部分により構成された前記名目的に直線状の線は、前記支持体構成要素矢状面に対して実質的に平行である、請求項２に記載の脛骨側支持体構成要素(12、112、212)。
【請求項５】
前記内側咬合軌道(26、126、226)は、前記外側咬合軌道(28、128、228)の前記後側部分(30)に対応する前後方向広がりを有する後内側部分を構成し、
前記内側咬合軌道により構成される前記名目的に直線状の線は、前記後内側部分を含む、請求項２に記載の脛骨側支持体構成要素(12、112、212)。
【請求項６】
前記外側咬合軌道(28、128、228)は、前記外側の前後方向広がり(APL)に沿う外側矢状最遠位点(44)を構成すると共に、前記内側咬合軌道(26、126、226)は、前記内側の前後方向広がり(APM)に沿う内側矢状最遠位点(42)を構成し、
前記内側および外側の矢状最遠位点は共通の冠状面内に配置されることから、前記内側および外側の咬合軌道は、共通の前後方向箇所として、夫々の最遠位点を備える、請求項２に記載の脛骨側支持体構成要素(12、112、212)。
【請求項７】
大腿骨プロテーゼ(20、120、220)と組み合わされた請求項２に記載の脛骨側支持体構成要素(12、112、212)であって、
前記内側顆は、前記内側咬合軌道(26、126、226)に対応する内側の一群の接触点を構成する内側屈曲範囲の全体にわたり前記内側咬合区画(16、116、216)と咬合すべく形状化されたプロテーゼ内側顆(22)を備え、且つ、
前記外側顆は、前記外側咬合軌道(28、128、228)に対応する外側の一群の接触点を構成する外側屈曲範囲の全体にわたり前記外側咬合区画(18、118、218)と咬合すべく形状化されたプロテーゼ外側顆(24)を備える、脛骨側支持体構成要素(12、112、212)。
【請求項８】
当該脛骨側支持体構成要素は、前記支持体構成要素矢状面において測定された前後勾配角度(S)にて植設可能であり、該前後勾配角度は前記支持体構成要素横断面と横方向の基準平面との間に形成され、前記横方向の基準平面は、当該脛骨側支持体構成要素が植設されたときに脛骨(T)の解剖学的軸心(AT)に対して直交して位置され、前記前後勾配角度は、当該脛骨側支持体構成要素の前端縁がその後端縁に関して上昇されたときに正の値を有し、
前記外側咬合軌道(28、128、228)は、前記外側の一群の冠状最遠位点の内の点であって、前記前後勾配角度が5°に等しいときに前記横方向の基準平面に最も近いという点として定義される外側矢状最遠位点(44)を構成し、
前記外側矢状最遠位点は、前記外側咬合軌道の前記前側部分の後側終点と一致する、請求項１に記載の脛骨側支持体構成要素(12、112、212)。
【請求項９】
当該支持体構成要素は、前記支持体構成要素矢状面において測定された前後勾配角度(S)にて植設可能であり、該前後勾配角度は前記支持体構成要素横断面と横方向の基準平面との間に形成され、前記横方向の基準平面は、当該脛骨側支持体構成要素が植設されたときに脛骨(T)の解剖学的軸心(AT)に対して直交して位置され、前記前後勾配角度は、当該脛骨側支持体構成要素の前端縁がその後端縁に関して上昇されたときに正の値を有し、
前記外側咬合軌道(28、128、228)は、前記外側の一群の冠状最遠位点の内の点であって、前記前後勾配角度が5°に等しいときに前記横方向の基準平面に最も近いという点として定義される外側矢状最遠位点(44)を構成し、
前記外側矢状最遠位点は、前記外側咬合軌道の前記後側部分(30)の前側終点と一致する、請求項１に記載の脛骨側支持体構成要素(12、112、212)。
【請求項１０】
前記外側咬合軌道(28、128、228)の前記後側部分(30)の前記曲線は、前記外側咬合軌道から内方に離間された半径中心(CT)を有する半径(RT)を画成することで、前記曲線は前記内側咬合区画(16、116、216)に向けて内方に弧状とされる、請求項１に記載の脛骨側支持体構成要素(12、112、212)。
【請求項１１】
前記内側咬合区画(16、116、216)は、内側の前後方向広がり(APM)にわたり張りわたる内側の一群の冠状最遠位点であって、内側咬合軌道(26、126、226)を画成するという内側の一群の冠状最遠位点を構成する複数の冠状断面的輪郭形状を備え、
前記半径中心(CT)は、前記支持体構成要素横断面上への前記内側咬合軌道の投影像と一致する、請求項１０に記載の脛骨側支持体構成要素(12、112、212)。
【請求項１２】
当該脛骨側支持体構成要素は、前記支持体構成要素矢状面において測定された前後勾配角度(S)にて植設可能であり、該前後勾配角度は前記支持体構成要素横断面と横方向の基準平面との間に形成され、前記横方向の基準平面は、当該脛骨側支持体構成要素が植設されたときに脛骨(T)の解剖学的軸心(AT)に対して直交して位置され、前記前後勾配角度は、当該脛骨側支持体構成要素の前端縁がその後端縁に関して上昇されたときに正の値を有し、
前記内側咬合軌道(26、126、226)は、前記内側の一群の冠状最遠位点の内の点であって、前記前後勾配角度が5°に等しいときに前記横方向の基準平面に最も近いという点として定義される内側矢状最遠位点(42)を構成し、
前記半径中心(CT)は、前記支持体構成要素横断面への前記内側矢状最遠位点の投影像と一致する、請求項１１に記載の脛骨側支持体構成要素(12、112、212)。
【請求項１３】
前記外側咬合軌道(28、128、228)は、前記外側の前後方向広がり(APL)に沿う外側矢状最遠位点(44)を構成し、該外側矢状最遠位点は、前記外側咬合軌道の前記前側部分から前記後側部分(30)への遷移部と一致する、請求項１２に記載の脛骨側支持体構成要素(12、112、212)。
【請求項１４】
前記内側および外側の矢状最遠位点(42、44)は共通の冠状面内に配置されることから、前記内側および外側の咬合軌道(26、28；126、128；226、228)は、共通の前後方向箇所において夫々の最遠位点を備える、請求項１３に記載の脛骨側支持体構成要素(12、112、212)。
【請求項１５】
前記外側咬合区画(18、118、218)は、全体的な前後径間を備え、且つ、
前記外側咬合軌道(28、128、228)の前記後側部分(30)は、前記全体的な前後径間の20％〜50％を占める、請求項１に記載の脛骨側支持体構成要素(12、112、212)。
【請求項１６】
前記名目的に直線状の線は前記曲線に対して接する、請求項１に記載の脛骨側支持体構成要素(12、112、212)。
【請求項１７】
当該脛骨側支持体構成要素は、
当該脛骨側支持体構成要素の植設時に後十字靭帯を収容すべく寸法設定かつ位置決めされた後側切欠き(236)と、
前記後側切欠きから、当該脛骨側支持体構成要素の周縁の前端縁の近傍の前方逃げスペース(261)まで前後方向に延在する顆間隆起部(238)であって、前記内側および外側の皿状咬合区画(216、218)の間に配設されたという顆間隆起部(238)と、
を備える十字靭帯維持型の設計態様を備える、請求項１に記載の脛骨側支持体構成要素(12、112、212)。
【請求項１８】
大腿骨プロテーゼ(20、120、220)と組み合わされた請求項１７に記載の脛骨側支持体構成要素(12、112、212)であって、
前記内側顆は、内側屈曲範囲の全体にわたり前記内側咬合区画(16、116、216)と咬合すべく形状化されたプロテーゼ内側顆(22)を備え、
前記外側顆は、外側屈曲範囲の全体にわたり前記外側咬合区画(18、118、218)と咬合すべく形状化されたプロテーゼ外側顆(24)を備え、
前記プロテーゼ内側および外側顆は、途切れない顆間スペースを画成し、前記大腿骨プロテーゼは大腿骨カムを欠く、請求項１７に記載の脛骨側支持体構成要素(12、112、212)。
【請求項１９】
当該脛骨側支持体構成要素の前記咬合表面および前記遠位表面(60、160、260)は脛骨側支持体周縁により境界付けられ、当該脛骨側支持体構成要素は、前記咬合表面から近位方向に延在する後方高位部(138)を含む超適合型の設計態様を備え、
前記外側咬合軌道(28、128、228)は前記外側の前後方向広がり(APL)に沿い外側矢状最遠位点(44)を構成し、前記後方高位部は、前記外側矢状最遠位点から近位方向に測定された3.8mm〜10mmの高位部高さ(HE)を画成し、
前記後方高位部は前記脛骨側支持体周縁の後端縁から前方に延在することで、当該脛骨側支持体構成要素の全体的な前後方向広がり(APUC)の30％以下の前後方向高位部広がり(APPE)を構成し、前記後方高位部は前記内側および外側の皿状咬合区画(116、118)の間に配設される、請求項１に記載の脛骨側支持体構成要素(12、112、212)。
【請求項２０】
当該脛骨側支持体構成要素は、前記咬合表面から近位方向に延在する突起部(38)を含む後方安定化型の設計態様を備え、
前記突起部は当該脛骨側支持体構成要素の周縁の前端縁から後方に離間され、且つ、
前記突起部は、前記内側および外側の皿状咬合区画(16、18)間に配設される、請求項１に記載の脛骨側支持体構成要素(12、112、212)。